(57)【要約】【課題】データ電位ＶＤを供給するための配線、及び、回路の面積規模が小さい電気光学装置を提供数する。【解決手段】電気光学装置１０は、電気光学素子１２を含む単位回路Ｕからなるアレイ部２０１と、前記単位回路Ｕにデータ電位ＶＤを供給する書き込み制御部２００からなり、電気光学素子１２の階調に応じた時間幅で書き込み制御部２００内のスイッチング素子がオン状態となる。【選択図】図２
2012098441.tif 000002
【特許請求の範囲】
【請求項１】
複数の走査線と、
複数のデータ線と、
前記データ線に一の電極が接続された容量と、前記容量に保持される電圧に応じた輝度で発光する電気光学素子と、前記電気光学素子と前記一の電極との間に接続されたスイッチング素子とを有する、前記複数の単位回路と、
複数の端子と、を備え、
前記複数の端子のうち第１端子は、前記複数のデータ線のうち第１データ線及び第２データ線に電気的に接続され、
前記第１端子と前記第１データ線及び前記第２データ線との間には書き込み制御部が接続され、
前記書き込み制御部は、
前記第１データ線と前記第１端子との間に接続され、第１制御信号によって制御される第１スイッチング素子と、
前記第２データ線と前記第１端子との間に接続され、第２制御信号によって制御される第２スイッチング素子とを備え、
前記第１制御信号に応じて、前記輝度に応じた時間の間、前記第１スイッチング素子がオン状態となる、
ことを特徴とする電気光学装置。
【請求項２】
前記輝度に応じた時間で前記第１スイッチング素子がオン状態となることで、前記容量に前記輝度に応じた電圧が印加されることを特徴とする請求項１に記載の電気光学装置。
【請求項３】
前記第１制御信号は、前記輝度に応じた時間幅を有するパルス信号であることを特徴とする請求項１に記載の電気光学装置。
【請求項４】
前記データ線に供給される信号の電圧値は時間に応じて変化することを特徴とする請求項１に記載の電気光学装置。
【請求項５】
複数の走査線と、
複数のデータ線と、
前記データ線に一の電極が接続された容量と、前記容量に保持される電圧に応じた輝度で発光する電気光学素子と、前記電気光学素子と前記一の電極との間に接続されたスイッチング素子とを有する、前記複数の単位回路と、
複数の端子と、
前記データ線に信号を供給するデータ線駆動回路と、
を備え、
前記複数の端子のうち第１端子は、前記複数のデータ線のうち第１データ線及び第２データ線に電気的に接続され、
前記第１端子と前記第１データ線及び前記第２データ線との間には書き込み制御部が接続され、
前記書き込み制御部は、
前記第１データ線と前記第１端子との間に接続され、第１制御信号によって制御される第１スイッチング素子と、
前記第２データ線と前記第１端子との間に接続され、第２制御信号によって制御される第２スイッチング素子とを備え、
前記第１制御信号に応じて、前記輝度に応じた時間の間、前記第１スイッチング素子がオン状態となる電気光学装置であって、
前記データ線駆動回路は前記データ線への供給信号を出力する複数の出力部を備え、
前記出力部の数は、前記データ線の数よりも少ない、
ことを特徴とする電気光学装置。
【請求項６】
請求項１から請求項５の何れかの電気光学装置を備えた電子機器。
【請求項７】
複数の走査線と、
複数のデータ線と、
前記データ線に一の電極が接続された容量と、前記容量に保持される電圧に応じた輝度で発光する電気光学素子と、前記電気光学素子と前記一の電極との間に接続されたスイッチング素子とを有する、前記複数の単位回路と、
複数の端子と、を備えた電気光学装置の駆動方法であって、
前記複数の端子のうち第１端子を、前記複数のデータ線のうち第１データ線及び第２データ線に電気的に接続し、
前記第１端子と前記第１データ線及び前記第２データ線との間には書き込み制御部を接続し、
前記書き込み制御部は、
前記第１データ線と前記第１端子との間に接続され、第１制御信号によって制御される第１スイッチング素子と、
前記第２データ線と前記第１端子との間に接続され、第２制御信号によって制御される第２スイッチング素子とを備え、
前記第１制御信号に応じて、前記輝度に応じた時間の間、前記第１スイッチング素子をオン状態とする、
ことを特徴とする電気光学装置の駆動方法。
【発明の詳細な説明】
【技術分野】
【０００１】
本発明は、電気光学素子を利用した電気光学装置、その駆動方法、および電子機器に関する。
【背景技術】
【０００２】
近年、有機ＥＬ（Electro Luminescent）素子や発光ポリマー素子などと呼ばれる有機発光ダイオード（Organic Light Emitting Diode、以下「ＯＬＥＤ」という）素子などの電気光学素子を用いた画像表示装置が各種提案されている。
【０００３】
図１０は、特許文献１に開示された電気光学装置の構成を示す図である。特許文献１に開示された電気光学装置においては、複数の走査線と複数のデータ線との交差に対応して複数の単位回路Uが配置される。図１０に示すように、Ｎチャネル型のトランジスターＴｒのソースまたはドレインの一方はデータ線に接続されるとともに、そのソースまたはドレインの他方はＯＬＥＤ素子の陽極に接続される。トランジスターＴｒのゲートは走査線１０２に接続される。
【０００４】
以上の構成において、まず書込期間において、第ｉ行に属する単位回路Ｕの階調データに対応するデータ電位ＶＤに応じた電荷が、各単位回路Ｕにおける容量素子Ｃに充電（蓄積）される。次に駆動期間において、データ線駆動回路３０の各出力端がハイインピーダンス状態に設定されたうえで、走査信号Ｇ[ｉ]がハイレベルに遷移する。これによりトランジスターＴｒがオン状態となり、第ｉ行に属する単位回路Ｕの各々には、当該単位回路Ｕに対応するデータ線１０４に接続された複数の容量素子Ｃから、書込期間Ｐｗにおいて充電された電荷が供給される。
【先行技術文献】
【特許文献】
【０００５】
【特許文献１】特開２００９−２１１０３５号公報
【発明の概要】
【発明が解決しようとする課題】
【０００６】
しかしながら、上記特許文献１の構成において、通常データ電位ＶＤの数は数百〜数千と多いため、その配線だけで大きな面積を占有することになる。加えて、データ電位ＶＤ[１]ないしＶＤ[ｎ]を駆動するデータ線駆動回路３０は非常に大きな回路規模となる。データ線駆動回路３０はデータ電位ＶＤ[１]ないしＶＤ[ｎ]と同数、すなわち、ｎ個のデータ出力回路から構成される。一般に、データ出力回路はDA変換回路やオペアンプなどからなる出力部を含み、それらは通常大きな回路面積を持つ。そのため、データ電位ＶＤ[１]ないしＶＤ[ｎ]と同数のデータ出力回路を設けることは、回路面積の点で大きな問題となる。
【０００７】
以上のように、上記特許文献１の構成では、配線や回路の面積規模が大きくなることが課題であり、電気光学装置の小型化を妨げる要因となっていた。
【課題を解決するための手段】
【０００８】
本発明は、上述の課題の少なくとも一部を解決するためになされたものであり、以下の形態または適用例として実現することが可能である。
【０００９】
［適用例１］本適用例に係る電気光学装置は、複数の走査線と、複数のデータ線と、前記データ線に一の電極が接続された容量と、前記容量に保持される電圧に応じた輝度で発光する電気光学素子と、前記電気光学素子と前記一の電極との間に接続されたスイッチング素子とを有する前記複数の単位回路と、複数の端子とを備え、前記複数の端子のうち第１端子は、前記複数のデータ線のうち第１データ線及び第２データ線に電気的に接続され、前記第１端子と前記第１データ線及び前記第２データ線との間には書き込み制御部が接続され、前記書き込み制御部は前記第１データ線と前記第１端子との間に接続され、第１制御信号によって制御される第１スイッチング素子と前記第２データ線と前記第１端子との間に接続され、第２制御信号によって制御される第２スイッチング素子とを備え、前記第１制御信号に応じて前記輝度に応じた時間の間、前記第１スイッチング素子がオン状態となることを特徴とする。
【００１０】
本適用例によれば、書き込み制御部を介してデータ電位ＶＤ[１]ないしＶＤ[ｎ]を１つに集約できる。配線が１本に集約されるので配線面積を大幅に削減できる。
【００１１】
［適用例２］上記適用例に記載の電気光学装置は、輝度に応じた時間で第１スイッチング素子がオン状態となることで、容量に対して輝度に応じた電圧が印加されることを特徴とする。
【００１２】
本適用例によれば、輝度に応じた電圧を、第１スイッチング素子がオン状態となるタイミングによって容易に設定できる。
【００１３】
［適用例３］上記適用例に記載の電気光学装置は、第１制御信号が輝度に応じた時間幅を有するパルス信号であることを特徴とする。
【００１４】
本適用例によれば、輝度に応じた時間幅を持つ第１制御信号によって第１スイッチング素子のタイミングを制御できる。公知の時間幅生成回路（パルス幅変調回路）によって多階調の時間幅を容易に形成できる。
【００１５】
［適用例４］上記適用例に記載の電気光学装置は、データ線に供給される信号の電圧値が時間に応じて変化することを特徴とする。
【００１６】
本適用例によれば、データ線に供給される信号が三角波となっている。そのため、意図的にデータ線遅延を持たせる必要がないので、充放電電力の削減が可能となる。
【００１７】
［適用例５］本適用例に係る電気光学装置は、複数の走査線と、複数のデータ線と、前記データ線に一の電極が接続された容量と、前記容量に保持される電圧に応じた輝度で発光する電気光学素子と、前記電気光学素子と前記一の電極との間に接続されたスイッチング素子とを有する前記複数の単位回路と、複数の端子と、前記データ線に信号を供給するデータ線駆動回路とを備え、前記複数の端子のうち第１端子は、前記複数のデータ線のうち第１データ線及び第２データ線に電気的に接続され、前記第１端子と前記第１データ線及び前記第２データ線との間には書き込み制御部が接続され、前記書き込み制御部は前記第１データ線と前記第１端子との間に接続され、第１制御信号によって制御される第１スイッチング素子と前記第２データ線と前記第１端子との間に接続され、第２制御信号によって制御される第２スイッチング素子とを備え、前記第１制御信号に応じて前記輝度に応じた時間の間、前記第１スイッチング素子がオン状態となる電気光学装置であって、前記データ線駆動回路は前記データ線への供給信号を出力する複数の出力部を備え、前記出力部の数は前記データ線の数よりも少ないことを特徴とする。
【００１８】
本適用例によれば、データ線駆動回路に含まれる出力部の規模を大幅に削減できるので、回路面積や回路コストの点で有利となる。
【００１９】
［適用例６］上記適用例に係る電気光学装置は各種の電子機器に利用される。この電子機器の典型例は、発光装置を表示装置として利用した機器である。この種の機器としては、パーソナルコンピューターや携帯電話機などがある。もっとも、本発明に係る発光装置の用途は画像の表示に限定されない。例えば、光線の照射によって感光体ドラムなどの像担持体に潜像を形成する構成の画像形成装置（印刷装置）においては、像担持体を露光する手段（いわゆる露光ヘッド）として本発明の電気光学装置を採用することもできる。
【００２０】
［適用例７］本適用例に係る電気光学装置の駆動方法は、複数の走査線と、複数のデータ線と、前記データ線に一の電極が接続された容量と、前記容量に保持される電圧に応じた輝度で発光する電気光学素子と、前記電気光学素子と前記一の電極との間に接続されたスイッチング素子とを有する前記複数の単位回路と、複数の端子とを備えた電気光学装置の駆動方法であって、前記複数の端子のうち第１端子を前記複数のデータ線のうち第１データ線及び第２データ線に電気的に接続し、前記第１端子と前記第１データ線及び前記第２データ線との間には書き込み制御部を接続し、前記書き込み制御部は前記第１データ線と前記第１端子との間に接続され、第１制御信号によって制御される第１スイッチング素子と、前記第２データ線と前記第１端子との間に接続され第２制御信号によって制御される第２スイッチング素子とを備え、前記第１制御信号に応じて、前記輝度に応じた時間の間、前記第１スイッチング素子をオン状態とする。以上の駆動方法によっても本発明に係る電気光学装置と同様の効果が得られる。
【図面の簡単な説明】
【００２１】
【図１】本発明の第１実施形態に係る電気光学装置の構成を示すブロック図である。
【図２】本発明の第１実施形態の電気的構成を示す回路図である。
【図３】本発明の第１実施形態の単位回路を駆動するための動作を示す図である。
【図４】本発明の駆動期間における単位回路の動作を説明する図である。
【図５】本発明の第２実施形態の単位回路を駆動するための動作を示す図である。
【図６】本発明の第３実施形態の電気的構成を示す回路図である。
【図７】本発明に係る電子機器の具体的な形態を示す斜視図である。
【図８】本発明に係る電子機器の具体的な形態を示す斜視図である。
【図９】本発明に係る電子機器の具体的な形態を示す斜視図である。
【図１０】従来の電気的構成を示す回路図である。
【発明を実施するための形態】
【００２２】
（第１実施形態）
図１は、本発明の第１実施形態に係る電気光学装置１０の構成を示すブロック図である。この電気光学装置１０は、画像を表示するための手段として各種の電子機器に採用される装置であり、複数の単位回路Ｕが面状に配列された画素部１００と、走査線駆動回路２０と、データ線駆動回路３０と、を有する。なお、図１においては、走査線駆動回路２０とデータ線駆動回路３０とが別個の回路として図示されているが、これらの回路の一部または全部が単一の回路とされた構成も採用される。
【００２３】
図１に示すように、画素部１００には、Ｘ方向に延在するｍ本の走査線１０２と、Ｘ方向に直交するＹ方向に延在するｎ本のデータ線１０４とが設けられる（ｍおよびｎは自然数）。各単位回路Ｕは、走査線１０２とデータ線１０４との交差に対応する位置に配置される。従って、これらの単位回路Ｕは縦ｍ行×横ｎ列のマトリックス状に配列する。
【００２４】
図１に示す走査線駆動回路２０は、複数の単位回路Ｕを行単位で選択するための回路である。走査線駆動回路２０は順次アクティブとなる走査信号Ｇ[１]ないしＧ[ｍ]を生成してｍ本の走査線１０２の各々に出力する。第ｉ行（ｉは１≦ｉ≦ｍを満たす整数）の走査線１０２に供給される走査信号Ｇ[ｉ]のアクティブ状態への遷移は、第ｉ行に属するｎ個の単位回路Ｕの選択を意味する。
【００２５】
図１に示すデータ線駆動回路３０は、走査線駆動回路２０によって選択される走査線１０２に対応する１行分のｎ個の単位回路Ｕの各々の階調データに応じたデータ電位ＶＤ[１]ないしＶＤ[ｎ]を生成して各データ線１０４に出力する。以下では、第ｊ列目（ｊは１≦ｊ≦ｎを満たす整数）のデータ線１０４に出力されるデータ電位ＶＤをＶＤ[ｊ]と表記する。
【００２６】
図２は、図１に示す画素部１００についての詳細な電気的構成を示す回路図である。図２に示すように、画素部１００は書き込み制御部２００とアレイ部２０１とから構成される。
【００２７】
書き込み制御部２００は、第１スイッチング素子ＳＷ［１］、第２スイッチング素子ＳＷ［２］を含む複数のスイッチング素子ＳＷ［ｊ］からなる。各スイッチング素子ＳＷ［ｊ］は、第１制御信号ＴＤ［１］、第２制御信号ＴＤ［２］を含む複数のタイミング制御信号ＴＤ[ｊ]によって制御される。
【００２８】
アレイ部２０１は、複数の単位回路Ｕから構成される。各単位回路Ｕは、電気光学素子１２と、容量素子Ｃと、トランジスターＴｒと、を有する。電気光学素子１２は、陽極と陰極との間に有機ＥＬ材料の発光層を介在させたＯＬＥＤ素子であり、図２に示すように、トランジスターＴｒと定電位が供給される定電位線（接地線）との間に配置される。ここで、陽極は単位回路Ｕ毎に設けられ、単位回路Ｕ毎に制御される個別電極であり、陰極は単位回路Ｕに共通に設けられた共通電極となっている。そして、陰極は定電位が供給される定電位線に接続されている。尚、陽極が共通電極であり、陰極が個別電極であってもよい。
【００２９】
図２に示す容量素子Ｃは、データ線１０４から供給されるデータ電位ＶＤ[ｊ]を保持する手段である。図２に示すように、容量素子Ｃは、容量線１０６に接続された第１電極Ｅ１と、データ線１０４に接続された第２電極Ｅ２と、を有する。固定電位が供給される容量線１０６は各単位回路Ｕに共通に接続される。また、定電位線に接地電位が供給されているが、例えば、定電位線には負電位が供給されており、データ電位ＶＤ[ｊ]のうち最高輝度を示すデータ電位ＶＤ[ｎ]が正電位であり、データ電位ＶＤ[ｊ]のうち最低輝度を示すデータ電位ＶＤ[１]が負電位であってもよい。即ち、データ電位ＶＤ[Ｎ]とデータ電位ＶＤ[１]との間に接地電位があってもよい。このようにすれば、接地電位に対するデータ電位ＶＤ[ｊ]の振幅を低減でき、低消費電力化を図ることができる。
【００３０】
図２に示すＮチャネル型のトランジスターＴｒは、走査線１０２の選択時に導通することで容量素子Ｃの第２電極Ｅ２と電気光学素子１２とを導通させるスイッチング素子である。図２に示すように、トランジスターＴｒのソースは電気光学素子１２の陽極に接続されるとともに、そのドレインはデータ線１０４および容量素子Ｃの第２電極Ｅ２に接続される。トランジスターＴｒのゲートは走査線１０２に接続され、走査信号Ｇ[ｉ]がアクティブ状態に遷移するとトランジスターＴｒがオン状態となって、第２電極Ｅ２と電気光学素子１２とが導通する。一方、走査信号Ｇ[ｉ]が非アクティブ状態に遷移するとトランジスターＴｒはオフ状態となって、第２電極Ｅ２と電気光学素子１２とは非導通状態となる。
【００３１】
次に、電気光学装置１０の動作について説明する。図３に示すように、１垂直走査期間（１Ｖ）内における各単位期間１Ｔは、当該単位期間１Ｔの開始時点から所定期間が経過するまでの書込期間Ｐｗと、書込期間Ｐｗの経過後の駆動期間Ｐｄと、を有する。本形態では、駆動期間Ｐｄは、書込期間Ｐｗの終了時点から当該単位期間１Ｔの終了時点までの期間とされている。
【００３２】
図１に示す走査線駆動回路２０は、各単位期間１Ｔ内における駆動期間Ｐｄごとに、一の走査線１０２を順次選択する。例えば、１垂直走査期間（１Ｖ）内の第ｉ番目の単位期間１Ｔでは、走査信号Ｇ[ｉ]がアクティブレベルに設定されることで第ｉ行目の走査線１０２が選択される。
【００３３】
図１に示すデータ線駆動回路３０は、各単位期間１Ｔ内の書込期間Ｐｗごとに、当該単位期間１Ｔ内の駆動期間Ｐｄにおいて走査線駆動回路２０によって選択される走査線１０２に対応する各単位回路Ｕにおける電気光学素子１２の階調データに対応するデータ電位ＶＤを各データ線１０４に出力する。例えば、１垂直走査期間（１Ｖ）内の第ｉ番目の単位期間１Ｔ内の書込期間Ｐｗでは、第ｉ行目のｎ個の単位回路Ｕの各々の階調データに対応するデータ電位ＶＤ[１]ないしＶＤ[ｎ]が各データ線１０４に出力される。以下では、第ｉ行の各単位回路Ｕに着目して、電気光学素子１２を駆動するための動作を書込期間Ｐｗと駆動期間Ｐｄとに区分して説明する。
【００３４】
（ａ）書込期間Ｐｗ
書込期間Ｐｗにおいては、第ｉ行に属する単位回路Ｕの階調データに対応するデータ電位ＶＤに応じた電荷が、各単位回路Ｕにおける容量素子Ｃに充電（蓄積）される。例えば、第ｉ行第ｊ列目の単位回路Ｕの階調データに対応するデータ電位ＶＤ[ｊ]に応じた電荷は、第ｊ列目のデータ線１０４に接続されたｍ個の容量素子Ｃに並列に充電されるという具合である。ここで、データ電位ＶＤ[ｊ]は、タイミング制御信号ＴＤ[ｊ]の立ち下がりタイミングで決定される。図３に示すように、データ電位ＶＤ[ｊ]に供給される波形は、データ線１０４の寄生インピーダンスの影響で所定の傾きを持った波形として伝送される。傾きを持った波形はタイミング制御信号ＴＤ[ｊ]の立ち下がりタイミングまでデータ線１０４に取り込まれる。したがって、タイミング制御信号ＴＤ[ｊ]の立ち下がりタイミングによってデータ線１０４の電位（データ電位ＶＤ[ｊ]）が決定されるため、輝度（階調）に応じたデータ電位ＶＤ[ｊ]となるよう、タイミング制御信号ＴＤ[ｊ]を設定する。
【００３５】
（ｂ）駆動期間Ｐｄ
駆動期間Ｐｄにおいては、書き込み制御部２００に含まれる各スイッチング素子をオフ状態に設定したうえで、図３に示すように走査信号Ｇ[ｉ]がハイレベルに遷移する。従って、図４に示すように、第ｉ行に属する単位回路Ｕの各々におけるトランジスターＴｒがオン状態となる。これにより、第ｉ行に属する単位回路Ｕの各々には、当該単位回路Ｕに対応するデータ線１０４に接続された複数の容量素子Ｃから、書込期間Ｐｗにおいて充電された電荷が供給される。例えば第i行第ｊ列目の単位回路Ｕにおける電気光学素子１２には、第ｊ列目のデータ線１０４に接続されたｍ個の容量素子Ｃから、書込期間Ｐｗで充電された電荷が一斉に供給されるという具合である。これによって、第ｉ行に属する単位回路Ｕの各々における電気光学素子１２がデータ電位ＶＤに応じた階調で発光する。
【００３６】
本形態の構成によれば、書き込み制御部２００を介してデータ電位ＶＤ[１]ないしＶＤ[ｎ]を１つに集約し、タイミング制御信号ＴＤ[ｊ]によって階調に応じた電位を生成できる。そのため、配線が１本に集約されるので配線面積を大幅に削減できる。
【００３７】
また、本形態の構成によれば、輝度に応じた電圧を、書き込み制御部２００に含まれる各スイッチング素子がオン状態となるタイミングによって容易に設定できる。
【００３８】
また、本形態の構成によれば、輝度に応じた時間幅を持つタイミング制御信号ＴＤ[ｊ]によって書き込み制御部２００に含まれる各スイッチング素子のタイミングを制御できる。タイミング制御信号ＴＤ[ｊ]をパルス幅変調することにより多階調を容易に実現できる。
【００３９】
（第２実施形態）
図５は、本発明の第２実施形態の単位回路を駆動するための動作を示す図である。第２実施形態においても、その回路構成は第１実施形態と同様である。第１実施形態を示す図３と比較して、図５はデータ電位ＶＤの波形が三角波になっている点で異なっている。第１実施形態では、データ電位ＶＤを矩形波としたうえで、データ線１０４の寄生インピーダンスを利用して、データ線１０４に傾きを持った波形を伝送していた。第２実施形態では、あらかじめデータ電位ＶＤを三角波として入力することで、データ線１０４の寄生インピーダンスを意図的に設けなくても、データ線１０４に三角波を伝送することができる。
【００４０】
本形態の構成によれば、データ線１０４の寄生インピーダンス充放電に伴う消費電力を削減できるので、低消費電力化が可能となる。
【００４１】
（第３実施形態）
図６は、本発明の第３実施形態の電気的構成を示す回路図である。図６のデータ線駆動回路３０は、図示しない出力部を含んでいる。本発明の駆動を説明した図３、図５が示すとおり、データ電位ＶＤは、階調にかかわらず共通の波形が供給されている。したがって、データ線駆動回路３０内の出力部は複数のデータ線１０４に対して共通に設ければ良い。従来技術である特許文献１に開示された電気光学装置では、出力部をデータ線と同数設ける必要があったが、本発明では出力部が最低１つあれば済むことになる。
【００４２】
本形態の構成によれば、データ線駆動回路３０に含まれる出力部の個数を大幅に削減できるので、回路面積や回路コストの点で有利となる。
【００４３】
（応用例）
次に、本発明に係る電気光学装置１０を利用した電子機器について説明する。図７は、以上に説明した何れかの形態に係る電気光学装置１０を表示装置として採用したモバイル型のパーソナルコンピューターの構成を示す斜視図である。パーソナルコンピューター２０００は、表示装置としての電気光学装置１０と本体部２０１０とを備える。本体部２０１０には、電源スイッチ２００１およびキーボード２００２が設けられている。この電気光学装置１０は電気光学素子１２にＯＬＥＤ素子を使用しているので、視野角が広く見易い画面を表示できる。
【００４４】
図８に、実施形態に係る電気光学装置１０を適用した携帯電話機の構成を示す。携帯電話機３０００は、複数の操作ボタン３００１およびスクロールボタン３００２、ならびに表示装置としての電気光学装置１０を備える。スクロールボタン３００２を操作することによって、電気光学装置１０に表示される画面がスクロールされる。
【００４５】
図９に、実施形態に係る電気光学装置１０を適用した携帯情報端末（ＰＤＡ：Personal Digital Assistants）の構成を示す。情報携帯端末４０００は、複数の操作ボタン４００１および電源スイッチ４００２、ならびに表示装置としての電気光学装置１０を備える。電源スイッチ４００２を操作すると、住所録やスケジュール帳といった各種の情報が電気光学装置１０に表示される。
【００４６】
なお、本発明に係る電気光学装置が適用される電子機器としては、図７から図９に示したもののほか、デジタルスチルカメラ、テレビ、ビデオカメラ、カーナビゲーション装置、ページャー、電子手帳、電子ペーパー、電卓、ワードプロセッサー、ワークステーション、テレビ電話、ＰＯＳ端末、プリンター、スキャナー、複写機、ビデオプレーヤー、タッチパネルを備えた機器等などが挙げられる。また、本発明に係る電気光学装置の用途は画像の表示に限定されない。例えば、光書込み型のプリンターや電子複写機といった画像形成装置においては、用紙などの記録材に形成されるべき画像に応じて感光体を露光する書込みヘッドが使用されるが、この種の書込みヘッドとしても本発明の電気光学装置は利用される。本発明にいう電子回路とは、各実施形態のように表示装置の画素を構成する画素回路のほか、画像形成装置における露光の単位となる回路をも含む概念である。
【符号の説明】
【００４７】
１０……電気光学装置、１２……電気光学素子、２０……走査線駆動回路、３０……データ線駆動回路、１０２……走査線、１０４……データ線、１０６……容量線、２００……書き込み制御部、２０１……アレイ部、Ｃ……容量素子、Ｅ１……第１電極、Ｅ２……第２電極、Ｐｗ……書込期間、Ｐｄ……駆動期間、１Ｔ……単位期間、Ｔｒ……トランジスター、Ｕ……単位回路。
【図１】
2012098441.tif 000003
【図２】
2012098441.tif 000004
【図３】
2012098441.tif 000005
【図４】
2012098441.tif 000006
【図５】
2012098441.tif 000007
【図６】
2012098441.tif 000008
【図７】
2012098441.tif 000009
【図８】
2012098441.tif 000010
【図９】
2012098441.tif 000011
【図１０】
2012098441.tif 000012